Podtech/llm-jp-corpus-v4-ja_patent huggingface dataset:
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
データを送信するために利用される複数の通信方式をサポートするファイル生成装置であって、
前記複数の通信方式のいずれかを利用して送信ジョブを実行する実行手段と、
前記実行手段により実行された複数の送信ジョブの実行履歴を記憶装置に格納する格納手段と、
前記複数の通信方式の中の所定の通信方式を利用した送信ジョブの実行履歴を用いたレポートに関する指定画面であって、第１送信先と第１条件との指定を受け付けるための第１画面を表示する表示手段と、
前記第１条件に従い、前記記憶装置に格納された前記所定の通信方式を利用した送信ジョブの実行履歴のみを用いて、第１ファイルを生成するファイル生成手段と、
前記第１ファイルのために、前記所定の通信方式に対応する所定文字と時間情報との両方を含む第１ファイル名を生成するファイル名生成手段と、
前記第１ファイル名が設定された第１ファイルを、前記第１送信先に対して、送信する送信手段と、を有し、
前記表示手段は、さらに、前記複数の通信方式を利用した送信ジョブの実行履歴を用いたレポートに関する指定画面であって、第２送信先と第２条件との指定を受け付けるための第２画面を表示し、
前記ファイル生成手段は、さらに、前記第２条件に従い、前記記憶装置に格納された前記複数の通信方式を利用した送信ジョブの実行履歴を用いて、第２ファイルを生成し、
前記ファイル名生成手段は、さらに、前記第２ファイルのために、前記所定文字を含めず、時間情報を含む第２ファイル名を生成し、
前記送信手段は、さらに、前記第２ファイル名が設定された第２ファイルを、前記第２送信先に対して、送信することを特徴とするファイル生成装置。
【請求項２】
前記第１条件及び前記第２条件として、時刻が指定されることを特徴とする請求項１に記載のファイル生成装置。
【請求項３】
前記第１条件及び前記第２条件として、件数が指定されることを特徴とする請求項１に記載のファイル生成装置。
【請求項４】
前記記憶装置に格納された前記複数の通信方式を利用した送信ジョブの実行履歴を印刷する印刷手段をさらに有することを特徴とする請求項１乃至３のいずれか１項に記載のファイル生成装置。
【請求項５】
前記所定の通信方式はファクスであり、前記ファイル名に含まれる前記所定文字は「Ｆ」であることを特徴とする請求項１乃至４のいずれか１項に記載のファイル生成装置。
【請求項６】
データを送信するために利用される複数の通信方式をサポートし、前記複数の通信方式のいずれかを利用して送信ジョブを実行する実行手段を備えるファイル生成装置における制御方法であって、
前記実行手段により実行された複数の送信ジョブの実行履歴を記憶装置に格納する格納工程と、
前記複数の通信方式の中の所定の通信方式を利用した送信ジョブの実行履歴を用いたレポートに関する指定画面であって、第１送信先と第１条件との指定を受け付けるための第１画面を表示する第１表示工程と、
前記第１条件に従い、前記記憶装置に格納された前記所定の通信方式を利用した送信ジョブの実行履歴のみを用いて、第１ファイルを生成するファイル生成工程と、
前記第１ファイルのために、前記所定の通信方式に対応する所定文字と時間情報との両方を含む第１ファイル名を生成するファイル名生成工程と、
前記第１ファイル名が設定された第１ファイルを、前記第１送信先に対して、送信する送信工程と、
前記複数の通信方式を利用した送信ジョブの実行履歴を用いたレポートに関する指定画面であって、第２送信先と第２条件との指定を受け付けるための第２画面を表示する第２表示工程と、を有し、
前記ファイル生成工程では、さらに、前記第２条件に従い、前記記憶装置に格納された前記複数の通信方式を利用した送信ジョブの実行履歴を用いて、第２ファイルが生成され、
前記ファイル名生成工程では、さらに、前記第２ファイルのために、前記所定文字を含めず、時間情報を含む第２ファイル名が生成され、
前記送信工程では、さらに、前記第２ファイル名が設定された第２ファイルが、前記第２送信先に対して、送信されることを特徴とする制御方法。
【請求項７】
請求項１乃至５のいずれか１項の各手段としてコンピュータを機能させるためのプログラム。
【手続補正２】
【補正対象書類名】明細書
【補正対象項目名】００１０
【補正方法】変更
【補正の内容】
【００１０】
本発明のファイル生成装置は、データを送信するために利用される複数の通信方式をサポートするファイル生成装置であって、前記複数の通信方式のいずれかを利用して送信ジョブを実行する実行手段と、前記実行手段により実行された複数の送信ジョブの実行履歴を記憶装置に格納する格納手段と、前記複数の通信方式の中の所定の通信方式を利用した送信ジョブの実行履歴を用いたレポートに関する指定画面であって、第１送信先と第１条件との指定を受け付けるための第１画面を表示する表示手段と、前記第１条件に従い、前記記憶装置に格納された前記所定の通信方式を利用した送信ジョブの実行履歴のみを用いて、第１ファイルを生成するファイル生成手段と、前記第１ファイルのために、前記所定の通信方式に対応する所定文字と時間情報との両方を含む第１ファイル名を生成するファイル名生成手段と、前記第１ファイル名が設定された第１ファイルを、前記第１送信先に対して、送信する送信手段と、を有し、
前記表示手段は、さらに、前記複数の通信方式を利用した送信ジョブの実行履歴を用いたレポートに関する指定画面であって、第２送信先と第２条件との指定を受け付けるための第２画面を表示し、前記ファイル生成手段は、さらに、前記第２条件に従い、前記記憶装置に格納された前記複数の通信方式を利用した送信ジョブの実行履歴を用いて、第２ファイルを生成し、前記ファイル名生成手段は、さらに、前記第２ファイルのために、前記所定文字を含めず、時間情報を含む第２ファイル名を生成し、前記送信手段は、さらに、前記第２ファイル名が設定された第２ファイルを、前記第２送信先に対して、送信することを特徴とする。
【手続補正書】
【提出日】令和1年7月25日(2019.7.25)
【手続補正１】
【補正対象書類名】明細書
【補正対象項目名】発明の名称
【補正方法】変更
【補正の内容】
【発明の名称】半導体装置及び電子機器
【手続補正２】
【補正対象書類名】特許請求の範囲
【補正対象項目名】全文
【補正方法】変更
【補正の内容】
【特許請求の範囲】
【請求項１】
基板上に第１の導電体と、
前記第１の導電体上に第１の絶縁体と、
前記第１の絶縁体上に電荷を保持する層と、
前記電荷を保持する層上に、第２の絶縁体と、
前記第２の絶縁体上にトランジスタと、を有する、半導体装置。
【請求項２】
請求項１において、
前記電荷を保持する層は酸化ハフニウム、酸化窒化ハフニウム、酸化アルミニウム、酸化窒化アルミニウム、のいずれか一を有する、半導体装置。
【請求項３】
基板上に第１のトランジスタと、第２のトランジスタとを有し、
前記第１のトランジスタは、第１の導電体と、第１の絶縁体と、第１の電荷を保持する層と、第２の絶縁体上に設けられており、
前記第２のトランジスタは、第２の導電体と、第３の絶縁体と、第２の電荷を保持する層と、第４の絶縁体上に設けられており、
前記第１の絶縁体と、前記第３の絶縁体と、の膜厚が異なる、半導体装置。
【請求項４】
基板上に第１のトランジスタと、第２のトランジスタとを有し、
前記第１のトランジスタは、第１の導電体と、第１の絶縁体と、第１の電荷を保持する層と、第２の絶縁体上に設けられており、
前記第２のトランジスタは、第２の導電体と、第３の絶縁体と、第２の電荷を保持する層と、第４の絶縁体上に設けられており、
前記第２の絶縁体と、前記第４の絶縁体と、の膜厚が異なる、半導体装置。
【請求項５】
基板上に第１のトランジスタと、第２のトランジスタとを有し、
前記第１のトランジスタは、第１の導電体と、第１の絶縁体と、第１の電荷を保持する層と、第２の絶縁体上に設けられており、
前記第２のトランジスタは、第２の導電体と、第３の絶縁体と、第２の電荷を保持する層と、第４の絶縁体上に設けられており、
前記第１の電荷を保持する層と、前記第２の電荷を保持する層と、の膜厚が異なる、半導体装置。
【請求項６】
請求項３乃至請求項５のいずれか一において、
前記第１の電荷を保持する層、または前記第２の電荷を保持する層は、酸化ハフニウム、酸化窒化ハフニウム、酸化アルミニウム、酸化窒化アルミニウムのいずれか一を有する、半導体装置。
【請求項７】
請求項１乃至請求項６のいずれか一に記載の半導体装置と、バッテリ、アンテナ、筐体、または、操作スイッチの少なくとも一つと、を有する電子機器。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
第１導電板上に載置されているものであって、炭化ケイ素を用いて構成されている第１スイッチング素子と、
第２導電板を介して前記第１スイッチング素子の上に積層されているものであって、炭化ケイ素を用いて構成されている第２スイッチング素子と、
前記第２スイッチング素子の上に設けられている第３導電板と、
を備え、
前記第１スイッチング素子は、
第１上側電極と、第１制御端子が接合された第１ゲート電極とが形成された第１素子上面と、
前記第１素子上面とは反対側の面であって、前記第１導電板と接合された第１下側電極が形成された第１素子下面と、を備え、
前記第２スイッチング素子は、
前記第３導電板と接合された第２上側電極と、第２制御端子が接合された第２ゲート電極とが形成された第２素子上面と、
前記第２素子上面とは反対側の面であって、第２下側電極が形成された第２素子下面と、を備え、
前記第２導電板は、
前記第２スイッチング素子が載置されている面であって、前記第２下側電極と接合され、且つ、前記第２素子下面の全体を覆っている第２上側導電板面と、
前記第２上側導電板面とは反対側の面であって前記第１素子上面と対向している第２下側導電板面と、を備え、
前記第２下側導電板面には、当該第２下側導電板面から前記第１素子上面に向けて突出し、且つ、前記第１上側電極と接合されている第１スイッチング素子用凸部が設けられており、
前記第１スイッチング素子用凸部は、前記両スイッチング素子の積層方向から見て、前記第１ゲート電極とは重ならない位置に設けられており、
前記第１制御端子の一部は、前記第１ゲート電極と前記第２下側導電板面との間に入り込んでおり、
前記第１ゲート電極と前記第２ゲート電極とは、前記積層方向から見てずれた位置に設けられており、
前記第１制御端子と前記第２制御端子とは、前記積層方向から見てずれた位置に設けられており、前記積層方向から見て前記両スイッチング素子から側方に突出している部分を含み、
前記第２導電板は出力端子を備え、当該出力端子は、前記両制御端子における前記両スイッチング素子からの突出方向とは反対方向に延びていることを特徴とする半導体モジュール。
【請求項２】
前記第２下側電極は、前記第２素子下面の全体に形成されており、
前記第２上側導電板面は、前記第２下側電極の全体と接触している請求項１に記載の半導体モジュール。
【請求項３】
前記第１スイッチング素子及び前記第２スイッチング素子は、前記第１スイッチング素子の周縁と前記第２スイッチング素子の周縁とが前記積層方向に揃った状態で積層されている請求項１又は請求項２に記載の半導体モジュール。
【請求項４】
前記第３導電板は、前記第２素子上面と対向する第３下側導電板面を備え、
前記第３下側導電板面には、当該第３下側導電板面から前記第２素子上面に向けて突出し、且つ、前記第２上側電極と接合されている第２スイッチング素子用凸部が設けられている請求項１〜３のうちいずれか一項に記載の半導体モジュール。
【請求項５】
前記第１導電板が取り付けられた絶縁基板を備え、
前記絶縁基板には、
前記第１制御端子が接合されている第１制御パットと、
前記第２制御端子が接合されている第２制御パットと、
が設けられている請求項１〜４のうちいずれか一項に記載の半導体モジュール。
【請求項６】
前記第１スイッチング素子と、前記第２スイッチング素子と、前記第１制御端子と、前記第２制御端子と、前記第２導電板とを１つの単位ユニットとすると、
前記単位ユニットは、前記第１導電板上に、一方向に配列された状態で複数設けられており、
前記第１制御パット及び前記第２制御パットは、前記単位ユニットに対して前記各単位ユニットの配列方向と直交する方向に離れた位置に配置されており、
前記第１制御端子及び前記第２制御端子は、前記積層方向から見て、前記配列方向と直交する方向に延びている請求項５に記載の半導体モジュール。
【請求項７】
前記第１スイッチング素子は上アームのＩＧＢＴであり、前記第１下側電極は上アームコレクタ電極であり、前記第１上側電極は上アームエミッタ電極であり、
前記第２スイッチング素子は下アームのＩＧＢＴであり、前記第２下側電極は下アームコレクタ電極であり、前記第２上側電極は下アームエミッタ電極である請求項１〜６のうちいずれか一項に記載の半導体モジュール。
【請求項８】
前記第１スイッチング素子は上アームのｎ型ＭＯＳＦＥＴであり、前記第１下側電極は上アームドレイン電極であり、前記第１上側電極は上アームソース電極であり、
前記第２スイッチング素子は下アームのｎ型ＭＯＳＦＥＴであり、前記第２下側電極は下アームドレイン電極であり、前記第２上側電極は下アームソース電極である請求項１〜６のうちいずれか一項に記載の半導体モジュール。
【手続補正２】
【補正対象書類名】明細書
【補正対象項目名】０１２０
【補正方法】変更
【補正の内容】
【０１２０】
次に、上記実施形態及び別例から把握できる好適な一例について以下に記載する。
（イ）請求項１〜８のうちいずれか一項に記載の半導体モジュールを備え、車載用電動圧縮機に設けられた電動モータを駆動するインバータ装置であって、直流電力を変圧するトランスと、前記トランスによって変圧された直流電力が入力されるＬＣフィルタ回路と、を備え、前記半導体モジュールは、前記ＬＣフィルタ回路から出力される直流電力を、前記電動モータが駆動可能な駆動電力に変換するものであることを特徴とするインバータ装置。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
半導体デバイスの製造方法であって、
半導体基板を提供する工程と、
基板の上に、第１軸に沿って配置された少なくとも１つの第１の細長いナノ構造と、第２軸に沿って配置された少なくとも１つの第２の細長いナノ構造とを形成する工程であって、２つの軸は互いに異なる方向に配置される工程と、
（ｉ）第１および第２のナノ構造に、所定の波長と所定の偏光面を有する光を、第１の時間だけ供給し、第１および第２のナノ構造で、異なる光の吸収が生じ、これにより第１のナノ構造を第１の温度に加熱する工程、
（ｉｉ）偏光面に対して半導体基板を回転させ、または半導体基板に対して偏光面を回転させる工程、および
（ｉｉｉ）半導体基板または偏光面を回転させた後、第１のおよび第２のナノ構造に、第２の時間だけ光を供給し、第２のナノ構造を第２の温度に加熱する工程、により第１および第２のナノ構造を異なる温度に加熱する工程と、
を含む方法。
【請求項２】
第１軸および第２軸は、互いに直交する請求項１に記載の方法。
【請求項３】
偏光面は、第１軸または第２軸に平行である請求項１に記載の方法。
【請求項４】
偏光面は、第１のナノ構造に対して第１の角度で配置され、第２のナノ構造に対して第２の角度で配置され、第１の角度と第２の角度とは異なる請求項１に記載の方法。
【請求項５】
第１のナノ構造は、第２のナノ構造の材料とは異なる材料を含む請求項１に記載の方法。
【請求項６】
第１および第２のナノ構造は、互いに異なる半導体材料を含む半導体フィンである請求項５に記載の方法。
【請求項７】
半導体材料は、Ｓｉ、Ｇｅ、ＳｉＧｅ、ＩＩＩ−Ｖ材料からなるリストから選択される請求項６に記載の方法。
【請求項８】
第１および第２のナノ構造は、ナノチューブ、ナノワイヤ、またはナノファイバである請求項１に記載の方法。
【請求項９】
光の波長は、第１または第２の細長いナノ構造の幅の１０〜３０倍の範囲内である請求項１に記載の方法。
【請求項１０】
光の波長は、１５７ｎｍ〜１０６０ｎｍの範囲内である請求項１に記載の方法。
【請求項１１】
加熱工程は、ナノ構造中に注入されたドーパント元素の活性化のために適用される請求項１に記載の方法。
【請求項１２】
加熱工程は、ナノ構造の再結晶のために適用される請求項１に記載の方法。
【請求項１３】
光の波長は、第１または第２のナノ構造の材料の誘電関数に基づいて選択される請求項１に記載の方法。
【請求項１４】
光の波長は、第１または第２のナノ構造の材料の誘電関数が最大になるように選択される請求項１３に記載の方法。
【請求項１５】
第１および第２のナノ構造は、半導体基板の表面から外に延びない請求項１に記載の方法。
【請求項１６】
波長は第１の波長であり、
細長いナノ構造を異なる温度に加熱する工程は、更に、第１の波長を有する光を第１の時間だけ供給した後に、第２の波長を有する光を細長いナノ構造に第２の時間だけ供給する工程を含む、請求項１に記載の方法。
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
植物が栽培される栽培床と、
前記栽培床を経由する養液の循環経路と、
前記循環経路の養液を一時的に貯留可能な容量を有する貯留槽と、
前記循環経路の養液が前記貯留槽に貯留されている場合に、前記循環経路へ殺菌成分の薬液を流入出させる薬液給排出手段と、
前記貯留槽から前記循環経路へ返送される養液から菌を除去可能な、前記貯留槽から前記栽培床へ至る経路の途中にあるフィルタと、を備える、
栽培システム。
【請求項２】
前記フィルタは、前記循環経路上にある、
請求項１の栽培システム。
【請求項３】
前記薬液給排出手段は、前記循環経路に備わる水槽を通じて前記循環経路へ殺菌成分の薬液を流入出させる、
請求項１または２に記載の栽培システム。
【請求項４】
前記循環経路には、循環ポンプが備わっており、
前記栽培システムは、前記循環経路のうち前記栽培床から前記循環ポンプへ至る経路を通じて前記貯留槽の養液を前記循環経路へ返送させる養液返送手段を備える、
請求項１から３の何れか一項に記載の栽培システム。
【請求項５】
前記養液返送手段は、前記貯留槽から前記循環経路に備わる水槽へ至る返送経路である、
請求項４に記載の栽培システム。
【請求項６】
前記薬液は、ｐＨ値が８．５以下の水から製造された０．０５〜０．５ｐｐｍのオゾン水である、
請求項１から５の何れか一項に記載の栽培システム。
【請求項７】
植物が栽培される栽培床を含む循環経路の養液を貯留する工程と、
前記養液が貯留された状態で、前記循環経路へ殺菌成分の薬液を流入出させる工程と、
養液が貯留された箇所から前記栽培床へ至る経路の途中にある、養液から菌を除去可能なフィルタを通じて、前記循環経路へ養液を返送する工程と、を備える、
栽培方法。
【請求項８】
栽培床を用いて植物を栽培する植物製造方法であって、
植物が栽培される前記栽培床を含む循環経路の養液を貯留する工程と、
前記養液が貯留された状態で、前記循環経路へ殺菌成分の薬液を流入出させる工程と、
養液が貯留された箇所から前記栽培床へ至る経路の途中にある、養液から菌を除去可能なフィルタを通じて、前記循環経路へ養液を返送する工程と、を備える、
植物製造方法。
【手続補正２】
【補正対象書類名】明細書
【補正対象項目名】発明の名称
【補正方法】変更
【補正の内容】
【発明の名称】栽培システム、栽培方法及び植物製造方法
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
作業機がローリング可能に後部に連結される走行車体と、
前記走行車体のロール軸まわりに回動可能に設けられ、前記走行車体のロール角を検出するロール角検出装置と、
前記ロール角検出装置の検出値に基づいて、前記作業機の前記走行車体に対するローリング姿勢を制御する姿勢制御装置と
を備えること
を特徴とする作業車両。
【請求項２】
前記ロール角検出装置に着脱自在に取り付けられ、前記ロール角検出装置を前記ロール軸まわりに回動させる回動操作レバー
をさらに備えること
を特徴とする請求項１に記載の作業車両。
【請求項３】
前記ロール角検出装置は、
前記走行車体の操縦席よりも後方に設けられること
を特徴とする請求項１または２に記載の作業車両。
【請求項４】
後輪を上方から覆う左右のリアフェンダのいずれか一方の上方の面に設けられ、前記ロール角検出装置の検出値に基づいて前記作業機の前記ローリング姿勢を制御するモードを切り替えるモード切替スイッチ
をさらに備え、
前記モード切替スイッチは、
前記ロール角検出装置よりも左右いずれかの外側方、かつ、前方に設けられること
を特徴とする請求項３に記載の作業車両。
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
誘電体粒子の分離を行う分離装置であって、
前記誘電体粒子を含む懸濁液を送液する流路と、
前記流路に配置され、前記流路の高さ方向に延びる立体形状の複数の電極と、
前記誘電体粒子が誘電泳動を起こすように、所定周波数の交流電圧を前記複数の電極に印加する電源部と、
前記電源部を制御する制御部と、
を備え、
前記複数の電極は、液流方向に対して所定の角度をなす斜め方向を有し、前記液流方向の上流側または下流側に凸となるＶ字状に配列される、
分離装置。
【請求項２】
前記複数の電極の電極間隔は、配列方向において次第に広くなる、
請求項１に記載の分離装置。
【請求項３】
前記複数の電極は、前記交流電圧が印加されるシグナル電極と、グランドに接続されるグランド電極とを含み、
前記シグナル電極と前記グランド電極とは、配列方向に隣接する電極が互いに異なるように、交互に配置される、
請求項１又は２に記載の分離装置。
【請求項４】
前記制御部は、前記複数の電極に捕捉された誘電体粒子を前記流路から送出するための溶出液を前記流路に送液するときに、前記電源部に前記複数の電極への交流電圧の印加を停止させる、
請求項１〜３のいずれか１項に記載の分離装置。
【請求項５】
前記制御部は、前記誘電体粒子に作用する誘電泳動力の大きさを調整するように、前記複数の電極に印加する交流電圧の大きさ又は印加時間を調整する、
請求項１〜３のいずれか１項に記載の分離装置。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
心電波形に基づいて、隣接するＲ波の間隔を測定する測定部と、
前記測定部で測定されたＲ波の間隔のばらつきの指標値を算出する算出部と、
前記算出部で算出された前記指標値に基づくメッセージを出力する出力部と、を備えたことを特徴とする心電計。
【請求項２】
前記算出部が、前記測定部での測定と並行して前記指標値を算出し、
前記出力部が、前記算出部で算出された前記指標値に基づくメッセージを、前記測定部による測定時間の終了を待つことなく出力することを特徴とする請求項１に記載の心電計。
【請求項３】
前記算出部が、下記式
【数１】
2017143949.tif 000001
に基づくＲＲＶ値を前記指標値として算出することを特徴とする請求項１または２に記載の心電計。
【請求項４】
前記測定部が、隣接するＲ波の間隔を、前記心電計に接続された、３つの電極を通じて得られた心電波形に基づいて測定することを特徴とする請求項１から３のうちのいずれか１項に記載の心電計。
【請求項５】
プログラムを実行する演算機能を備えた心電計内で実行され、該心電計を、
心電波形に基づいて、隣接するＲ波の間隔を測定する測定部と、
前記測定部で測定されたＲ波の間隔のばらつきの指標値を算出する算出部と、
前記算出部で算出された前記指標値に基づくメッセージを出力する出力部と、を備えた心電計として動作させることを特徴とする指標値算出プログラム。
【手続補正２】
【補正対象書類名】明細書
【補正対象項目名】０００９
【補正方法】変更
【補正の内容】
【０００９】
上記目的を達成する本発明の心電計は、
心電波形に基づいて、隣接するＲ波の間隔を測定する測定部と、
前記測定部で測定されたＲ波の間隔のばらつきの指標値を算出する算出部と、
前記算出部で算出された前記指標値に基づくメッセージを出力する出力部と、を備えたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
Ｒ波の時間間隔を測定するリズム計測検査モードを含む複数の検査モードを有する心電計であって、
胸壁にあてがわれる電極の着脱を検知する電極検知部と、
前記電極検知部において前記電極の装着が検知されたことを受けて検査モードを前記リズム計測検査モードに切り替える検査モード切替部と、を備えたことを特徴とする心電計。
【請求項２】
心電波形のノイズを抑える１種類以上のフィルタと、
前記１種類以上のフィルタのそれぞれについて、作用させるか否かの設定を切り替えるフィルタ設定部とを有し、
前記フィルタ設定部が、前記電極検知部において前記電極の装着が検知されたことを受けて、前記１種類以上のフィルタのうちの予め定められたフィルタを作用させるように設定することを特徴とする請求項１に記載の心電計。
【請求項３】
前記検査モード切替部が、前記電極検知部により前記電極の取外しが検知されたことを受けて、検査モードを前記リズム計測検査モードから前記電極の装着前の検査モードに切り替えることを特徴とする請求項１または２に記載の心電計。
【請求項４】
前記フィルタ設定部が、前記電極検知部により前記電極の取外しが検知されたことを受けて、前記１種類以上のフィルタの設定状態を前記電極の装着前の設定状態に戻すことを特徴とする請求項２に記載の心電計。
【請求項５】
Ｒ波の間隔を測定するリズム計測検査モードを含む複数の検査モードとを有するとともに、プログラムを実行する演算機能を備えた心電計内で実行され、該心電計を、
胸壁にあてがわれる電極の着脱を検知する電極検知部と、
前記電極検知部において前記電極の装着が検知されたことを受けて検査モードを前記リズム計測検査モードに切り替える検査モード切替部と、を備えた心電計として動作させることを特徴とする検査モード切替プログラム。
【手続補正２】
【補正対象書類名】明細書
【補正対象項目名】０００８
【補正方法】変更
【補正の内容】
【０００８】
上記目的を達成する心電計は、Ｒ波の時間間隔を測定するリズム計測検査モードを含む複数の検査モードを有する心電計であって、胸壁にあてがわれる電極の着脱を検知する電極検知部と、前記電極検知部において前記電極の装着が検知されたことを受けて検査モードをリズム計測検査モードに切り替える検査モード切替部と、を備えたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
演出手段を用いた演出の実行を制御する演出制御手段と、
前記演出手段との間でシリアル通信を行う通信手段と、
前記演出制御手段と前記通信手段との間のデータの転送を制御する転送制御手段と、を備え、
前記演出制御手段が前記転送制御手段と通信した後、前記通信手段によるシリアル通信を行う前に、前記通信手段におけるシリアル通信に関する記憶内容をリセットし、
前記通信手段は、前記演出手段に含まれる複数の可動部材のそれぞれに対応する複数の検出手段から、シリアル通信により検出結果を受信可能である、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、遊技を行うことが可能な遊技機（例えばパチンコ遊技機１など）であって、演出手段（例えば可動部材５１〜５４および発光体ユニット７１〜７４など）を用いた演出の実行を制御する演出制御手段（例えば演出制御用マイクロコンピュータ１２０のＣＰＵ１３０など）と、前記演出手段との間でシリアル通信を行う通信手段（例えばシリアル通信回路１３７、シリアル信号中継装置１６１など）と、前記演出制御手段と前記通信手段との間のデータの転送を制御する転送制御手段（例えばＤＭＡコントローラ１３４など）と、を備え、前記演出制御手段が前記転送制御手段と通信した後、前記通信手段によるシリアル通信を行う前に、前記通信手段におけるシリアル通信に関する記憶内容をリセットし（例えば図２４のステップＳ１９３を参照）、前記通信手段は、前記演出手段に含まれる複数の可動部材のそれぞれに対応する複数の検出手段（例えば第１位置検出センサ５１Ａおよび第２位置検出センサ５２Ａなど）から、シリアル通信により検出結果を受信可能である。
このような構成によれば、通信の不具合を防止できる。
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
演出手段を用いた演出の実行を制御する演出制御手段と、
前記演出手段との間でシリアル通信を行う通信手段と、
前記演出制御手段と前記通信手段との間のデータの転送を制御する転送制御手段と、
前記通信手段の設定を行う通信設定手段と、を備え、
前記演出制御手段が前記転送制御手段と通信した後、前記通信手段によるシリアル通信を行う前に、前記通信手段におけるシリアル通信に関する記憶内容をリセットし、
前記通信手段は、基準クロックを所定変調方式で変調した変調クロックを用いてシリアル通信を行い、
前記通信設定手段は、前記通信手段によりシリアル通信が行われない期間に、前記所定変調方式の設定を行う、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、遊技を行うことが可能な遊技機（例えばパチンコ遊技機１など）であって、演出手段（例えば可動部材５１〜５４および発光体ユニット７１〜７４など）を用いた演出の実行を制御する演出制御手段（例えば演出制御用マイクロコンピュータ１２０のＣＰＵ１３０など）と、前記演出手段との間でシリアル通信を行う通信手段（例えばシリアル通信回路１３７、シリアル信号中継装置１６１など）と、前記演出制御手段と前記通信手段との間のデータの転送を制御する転送制御手段（例えばＤＭＡコントローラ１３４など）と、前記通信手段の設定を行う通信設定手段（例えば中継制御部１６１Ｂ０、拡散制御部１６１Ｂ１、出力制御部１６１Ｂ２など）と、を備え、前記演出制御手段が前記転送制御手段と通信した後、前記通信手段によるシリアル通信を行う前に、前記通信手段におけるシリアル通信に関する記憶内容をリセットし（例えば図２４のステップＳ１９３を参照）、前記通信手段は、基準クロックを所定変調方式で変調（例えば周波数変調など）した変調クロックを用いてシリアル通信を行い（例えば図１４を参照）、前記通信設定手段は、前記通信手段によりシリアル通信が行われない期間に、前記所定変調方式の設定を行う（例えば図２５のステップＳ２０３、Ｓ２０５〜Ｓ２０８および図２８を参照）。
このような構成によれば、通信の不具合を防止できる。
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
遊技盤面上の特定入球口に遊技球が入球することにより他の入賞口が開放し、当該他の入賞口に入賞することにより賞球を得る弾球遊技機において、
遊技球の入賞による賞球数を加算し、遊技球の発射個数を減算することにより得られる差球数をカウントする差球数カウント手段と、
該差球数カウント手段によりカウントされる差球数に従って画像を変化させる画像変化手段と、
を備えたことを特徴とする弾球遊技機。
【請求項２】
請求項１に記載の弾球遊技機において、
前記差球数が所定値に至れば、前記画像変化手段はストーリの完結画像を表示する完結表示手段、を備えたことを特徴とする弾球遊技機。
【請求項３】
請求項１又は請求項２に記載の弾球遊技機において、
前記差球数が前記所定値に至れば、前記カウントされた差球数を初期状態とする初期手段、を備えたことを特徴とする弾球遊技機。
【請求項４】
遊技盤面上の特定入球口に遊技球が入球すると抽選によることなく他の入賞口が開放し、当該他の入賞口に入賞することに起因して遊技者に有利な遊技を実行可能な弾球遊技機において、
遊技球の入賞による賞球数を加算し、遊技球の発射個数を減算することにより得られる差球数をカウントする差球数カウント手段と、
少なくとも遊技を行っていない待機状態中に、前記差球数に対応する画像を示す項目を複数以上有する一覧を表示する一覧表示手段と、
前記差球数カウント手段によりカウントされる差球数に従って前記一覧に示された画像に変化させる画像変化手段と、
を備えたことを特徴とする弾球遊技機。
【請求項５】
遊技盤面上の特定入球口に遊技球が入球すると抽選によることなく他の入賞口が開放し、当該他の入賞口に入賞することに起因して遊技者に有利な遊技を実行可能な弾球遊技機において、
遊技球の入賞による賞球数を加算し、遊技球の発射個数を減算することにより得られる差球数をカウントする差球数カウント手段と、
少なくとも遊技を行っていない待機状態中に、前記差球数に対応する画像を示す項目を複数以上有する一覧を表示する一覧表示手段と、
前記差球数カウント手段によりカウントされる差球数に従って前記一覧に示された画像に変化させる画像変化手段と、
前記差球数が所定値に至れば、前記カウントされた差球数を初期状態とする初期手段と、
を備えたことを特徴とする弾球遊技機。
【手続補正２】
【補正対象書類名】明細書
【補正対象項目名】００１４
【補正方法】変更
【補正の内容】
【００１４】
請求項４に記載の発明は、
遊技盤面上の特定入球口に遊技球が入球すると抽選によることなく他の入賞口が開放し、当該他の入賞口に入賞することに起因して遊技者に有利な遊技を実行可能な弾球遊技機において、
遊技球の入賞による賞球数を加算し、遊技球の発射個数を減算することにより得られる差球数をカウントする差球数カウント手段と、
少なくとも遊技を行っていない待機状態中に、前記差球数に対応する画像を示す項目を複数以上有する一覧を表示する一覧表示手段と、
前記差球数カウント手段によりカウントされる差球数に従って前記一覧に示された画像に変化させる画像変化手段と、
を備えたことを特徴とする弾球遊技機である。
【手続補正３】
【補正対象書類名】明細書
【補正対象項目名】００１５
【補正方法】変更
【補正の内容】
【００１５】
請求項５に記載の発明は、
遊技盤面上の特定入球口に遊技球が入球すると抽選によることなく他の入賞口が開放し、当該他の入賞口に入賞することに起因して遊技者に有利な遊技を実行可能な弾球遊技機において、
遊技球の入賞による賞球数を加算し、遊技球の発射個数を減算することにより得られる差球数をカウントする差球数カウント手段と、
少なくとも遊技を行っていない待機状態中に、前記差球数に対応する画像を示す項目を複数以上有する一覧を表示する一覧表示手段と、
前記差球数カウント手段によりカウントされる差球数に従って前記一覧に示された画像に変化させる画像変化手段と、
前記差球数が所定値に至れば、前記カウントされた差球数を初期状態とする初期手段と、
を備えたことを特徴とする弾球遊技機である。
【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
着脱可能な格納カートリッジ内の記録材を用いてシートに画像を形成する画像形成装置であって、
前記格納カートリッジを以前に認証した装置の識別情報を少なくとも含む認証情報を前記格納カートリッジに付与された記憶媒体から取得する取得手段と、
前記取得した識別情報が前記画像形成装置の識別情報と一致するか否かを判定する判定手段と、
２つの識別情報が一致しないことを前記判定手段による判定結果が示す場合は認証処理を実行して、且つ前記認証処理の成功によって得られる新たな認証情報を前記記憶媒体に書き込み、前記２つの識別情報が一致することを前記判定結果が示す場合は、所定の条件を満たすことに基づき前記新たな認証情報を前記記憶媒体に書き込み、前記所定の条件を満たさないことに基づき前記新たな認証情報を前記記憶媒体に書き込まない制御手段と
を備えることを特徴とする画像形成装置。
【請求項２】
前記認証情報は、過去に認証処理が施されたタイミングを示す情報を含むことを特徴とする請求項１に記載の画像形成装置。
【請求項３】
前記タイミングを示す情報は、日時で示される情報であることを特徴とする請求項２に記載の画像形成装置。
【請求項４】
前記タイミングを示す情報は、ページカウントで示される情報であることを特徴とする請求項２に記載の画像形成装置。
【請求項５】
前記画像形成装置の識別情報を格納する記憶手段をさらに備えることを特徴とする請求項１乃至４の何れか１項に記載の画像形成装置。
【請求項６】
前記所定の条件は、前回の認証タイミングからの時間の経過に関する条件を少なくとも含むことを特徴とする請求項１乃至５の何れか１項に記載の画像形成装置。
【請求項７】
前記所定の条件は、前回の認証タイミングから印刷したページ数 に関する条件を少なくとも含むことを特徴とする請求項１乃至５の何れか１項に記載の画像形成装置。
【請求項８】
前記記憶媒体にはカートリッジ情報が記憶されていることを特徴とする請求項１乃至７の何れか１項に記載の画像形成装置。
【請求項９】
前記カートリッジ情報は、ユニットＩＤ、対応エンジンＩＤ、カラーＩＤ、製造年月日情報、及びシリアルナンバーのうちの少なくとも１つを含むことを特徴とする請求項８に記載の画像形成装置。
【請求項１０】
前記記憶媒体には印刷したページ数に関する情報が記憶されていることを特徴とする請求項１乃至９の何れか１項に記載の画像形成装置。
【請求項１１】
前記記憶媒体はＩＣタグであることを特徴とする請求項１乃至１０の何れか１項に記載の画像形成装置。
【請求項１２】
前記認証処理を実行するための認証回路をさらに備えることを特徴とする請求項１乃至１１の何れか１項に記載の画像形成装置。
【請求項１３】
前記認証情報は所定のタイミングで前記記憶媒体から取得されることを特徴とする請求項１乃至１２の何れか１項に記載の画像形成装置。
【請求項１４】
前記所定のタイミングは、スリープ復帰タイミング、カートリッジドアのクローズタイミング、及び印刷ジョブ終了タイミングのうちの少なくともいずれかに関するタイミングであることを特徴とする請求項１３に記載の画像形成装置。
【請求項１５】
前記制御手段は、
前記２つの識別情報が一致することを前記判定手段による判定結果が示し且つ前記所定の条件を満たさない場合、前記認証処理を実行しないことを特徴とする請求項１乃至１４の何れか１項に記載の画像形成装置。
【請求項１６】
前記制御手段は、
前記認証処理の失敗にともない所定の情報を通知することを特徴とする請求項１乃至１５の何れか１項に記載の画像形成装置。
【請求項１７】
前記制御手段は、
前記２つの識別情報が一致することを前記判定の結果が示して且つ前記所定の条件を満たさない場合、前記記憶媒体に格納された所定の情報に基づく所定の処理の実行を許容することを特徴とする請求項１乃至１６の何れか１項に記載の画像形成装置。
【請求項１８】
着脱可能な格納カートリッジ内の記録材を用いてシートに画像を形成する画像形成装置の制御方法であって、
取得手段が、前記格納カートリッジを以前に認証した装置の識別情報を少なくとも含む認証情報を前記格納カートリッジに付与された記憶媒体から取得する取得工程と、
判定手段が、前記取得した識別情報が前記画像形成装置の識別情報と一致するか否かを判定する判定工程と、
制御手段が、２つの識別情報が一致しないことを前記判定工程での判定結果が示す場合は認証処理を実行して、且つ前記認証処理の成功によって得られる新たな認証情報を前記記憶媒体に書き込み、前記２つの識別情報が一致することを前記判定結果が示す場合は、所定の条件を満たすことに基づき前記新たな認証情報を前記記憶媒体に書き込み、前記所定の条件を満たさないことに基づき前記新たな認証情報を前記記憶媒体に書き込まない制御工程と
を含むことを特徴とする画像形成装置の制御方法。
【請求項１９】
着脱可能な格納カートリッジ内の記録材を用いてシートに画像を形成する画像形成装置の制御方法における各工程をコンピュータに実行させるためのプログラムであって、
前記制御方法は、
取得手段が、前記格納カートリッジを以前に認証した装置の識別情報を少なくとも含む認証情報を前記格納カートリッジに付与された記憶媒体から取得する取得工程と、
判定手段が、前記取得した識別情報が前記画像形成装置の識別情報と一致するか否かを判定する判定工程と、
制御手段が、２つの識別情報が一致しないことを前記判定工程での判定結果が示す場合は認証処理を実行して、且つ前記認証処理の成功によって得られる新たな認証情報を前記記憶媒体に書き込み、前記２つの識別情報が一致することを前記判定結果が示す場合は、所定の条件を満たすことに基づき前記新たな認証情報を前記記憶媒体に書き込み、前記所定の条件を満たさないことに基づき前記新たな認証情報を前記記憶媒体に書き込まない制御工程と
を含むことを特徴とするプログラム。
【手続補正２】
【補正対象書類名】明細書
【補正対象項目名】００１２
【補正方法】変更
【補正の内容】
【００１２】
本発明は、着脱可能な格納カートリッジ内の記録材を用いてシートに画像を形成する画像形成装置であって、前記格納カートリッジを以前に認証した装置の識別情報を少なくとも含む認証情報を前記格納カートリッジに付与された記憶媒体から取得する取得手段と、前記取得した識別情報が前記画像形成装置の識別情報と一致するか否かを判定する判定手段と、２つの識別情報が一致しないことを前記判定手段による判定結果が示す場合は認証処理を実行して、且つ前記認証処理の成功によって得られる新たな認証情報を前記記憶媒体に書き込み、前記２つの識別情報が一致することを前記判定結果が示す場合は、所定の条件を満たすことに基づき前記新たな認証情報を前記記憶媒体に書き込み、前記所定の条件を満たさないことに基づき前記新たな認証情報を前記記憶媒体に書き込まない制御手段とを備えることを特徴とする。
【手続補正書】
【提出日】平成31年2月6日(2019.2.6)
【手続補正１】
【補正対象書類名】明細書
【補正対象項目名】００１６
【補正方法】変更
【補正の内容】
【００１６】
図7のブロック図により色処理装置11のハードウェア構成例を示す。マイクロプロセッサ(CPU)201は、ランダムアクセスメモリ(RAM)202をワークメモリとして、記憶部203に格納されたプログラムを実行し、図1に示す処理構成を実現する。記憶部203は、リードオンリメモリ(R0M)、フラッシュメモリなどで構成され、オペレーティングシステム(OS)や処理構成を実現するためのプログラムなどが格納される。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
複数の画素が配列された画素アレイと、処理部とを備え、
前記複数の画素のそれぞれは、放射線フォトンを検知するための検知素子と、該検知素子で検知された放射線フォトンに応じて変化する電圧を保持する保持部と、該保持部により保持されている電圧を画素信号として出力する出力部とを含み、
前記出力部が画素信号を出力した後において前記検知素子により新たに放射線フォトンが検知されていない場合には、前記保持部の電圧は、該画素信号が出力されたときのまま保持され、
前記処理部は、
前記複数の画素から非破壊読出で読み出された画素信号の群を１フレーム分の画像データとして、前記画素アレイに対して放射線が照射されている間に画像データの読み出しを繰り返し行って、複数フレームの画像データを取得する第１処理と、
前記複数フレームの画像データの間でのデータの差に基づく、前記画素アレイに入射した放射線フォトンの数及びエネルギー量の少なくとも一方、並びに、該放射線フォトンの前記画素アレイにおける入射位置に基づいて、放射線画像用のデータを生成する第２処理と、
を行う
ことを特徴とする放射線撮像装置。
【請求項２】
前記処理部は、前記第２処理では、前記第１処理において連続で取得された２フレームの画像データの間でのデータの差に基づいて、該２フレームの画像データを取得する間に前記画素アレイに入射した放射線フォトンの数および該放射線フォトンの入射位置を算出する
ことを特徴とする請求項１に記載の放射線撮像装置。
【請求項３】
前記処理部は、前記第２処理では、前記複数の画素のそれぞれに入射した放射線フォトンの数及びエネルギー量の少なくとも一方に基づいて、前記複数の画素のそれぞれに対応する信号値であって放射線画像用のデータを構成する信号値を算出する
ことを特徴とする請求項１または請求項２に記載の放射線撮像装置。
【請求項４】
前記処理部は、前記第２処理では、前記エネルギー量のうち所定の基準値より小さいものについては放射線画像用のデータの生成に用いない
ことを特徴とする請求項１から請求項３のいずれか１項に記載の放射線撮像装置。
【請求項５】
前記処理部は、前記第２処理では、前記エネルギー量のうち所定の範囲内のものを用いて放射線画像用のデータを生成する
ことを特徴とする請求項１から請求項４のいずれか１項に記載の放射線撮像装置。
【請求項６】
前記複数の画素のそれぞれから画素信号を読み出すための読出部をさらに備え、
前記読出部は、１フレーム分の画像データの読み出しを、前記複数の画素のそれぞれからの信号をサンプリングする動作と、該サンプリングされた信号を前記処理部に出力する動作とにより行う
ことを特徴とする請求項１から請求項５のいずれか１項に記載の放射線撮像装置。
【請求項７】
前記複数の画素を駆動する駆動部をさらに備え、
前記駆動部は、前記画素アレイに対する放射線の照射が開始される前に、前記複数の画素をリセットし、前記処理部が前記第１処理を行っている間には前記複数の画素をリセットしない
ことを特徴とする請求項１から請求項６のいずれか１項に記載の放射線撮像装置。
【請求項８】
請求項１から請求項７のいずれか１項に記載の放射線撮像装置と、放射線を発生する放射線源とを具備する
ことを特徴とする撮像システム。
【請求項９】
複数の画素が配列された画素アレイを備える放射線撮像装置の駆動方法であって、
前記複数の画素のそれぞれは、放射線フォトンを検知するための検知素子と、該検知素子で検知された放射線フォトンに応じて変化する電圧を保持する保持部と、該保持部により保持されている電圧を画素信号として出力する出力部とを含み、
前記出力部が画素信号を出力した後において前記検知素子により新たに放射線フォトンが検知されていない場合には、前記保持部の電圧は、該画素信号が出力されたときのまま保持され、
前記駆動方法は、
前記複数の画素から非破壊読出で読み出された画素信号の群を１フレーム分の画像データとして、前記画素アレイに対して放射線が照射されている間に画像データの読み出しを繰り返し行って、複数フレームの画像データを取得する工程と、
前記複数フレームの画像データの間でのデータの差に基づく、前記画素アレイに入射した放射線フォトンの数及びエネルギー量の少なくとも一方、並びに、該放射線フォトンの前記画素アレイにおける入射位置に基づいて、放射線画像用のデータを生成する工程と、
を含む
ことを特徴とする放射線撮像装置の駆動方法。
【請求項１０】
コンピュータに、請求項９に記載の放射線撮像装置の駆動方法の各工程を実行させるためのプログラム。
【手続補正２】
【補正対象書類名】明細書
【補正対象項目名】０００８
【補正方法】変更
【補正の内容】
【０００８】
本発明の一つの側面は放射線撮像装置にかかり、前記放射線撮像装置は、複数の画素が配列された画素アレイと、処理部とを備え、前記複数の画素のそれぞれは、放射線フォトンを検知するための検知素子と、該検知素子で検知された放射線フォトンに応じて変化する電圧を保持する保持部と、該保持部により保持されている電圧を画素信号として出力する出力部とを含み、前記出力部が画素信号を出力した後において前記検知素子により新たに放射線フォトンが検知されていない場合には、前記保持部の電圧は、該画素信号が出力されたときのまま保持され、前記処理部は、前記複数の画素から非破壊読出で読み出された画素信号の群を１フレーム分の画像データとして、前記画素アレイに対して放射線が照射されている間に画像データの読み出しを繰り返し行って、複数フレームの画像データを取得する第１処理と、前記複数フレームの画像データの間でのデータの差に基づく、前記画素アレイに入射した放射線フォトンの数及びエネルギー量の少なくとも一方、並びに、該放射線フォトンの前記画素アレイにおける入射位置に基づいて、放射線画像用のデータを生成する第２処理と、を行うことを特徴とする。